Podtech/llm-jp-corpus-v4-ja_patent huggingface dataset:
【手続補正書】
【提出日】令和1年9月2日(2019.9.2)
【手続補正１】
【補正対象書類名】特許請求の範囲
【補正対象項目名】全文
【補正方法】変更
【補正の内容】
【特許請求の範囲】
【請求項１】
識別情報の可変表示を行い、遊技者にとって有利な有利状態に制御可能な遊技機であって、
識別情報の透過率を変更する透過率変更手段と、
識別情報として複数列で構成される装飾識別情報と、
前記装飾識別情報と同数列で構成されるとともに前記装飾識別情報よりも小さい縮小識別情報と、
前記装飾識別情報および前記縮小識別情報の表示制御を実行する表示制御手段と、を備え、
前記表示制御手段は、
前記装飾識別情報の可変表示と同期して前記縮小識別情報の可変表示の開始表示および停止表示を行い、
前記装飾識別情報と前記縮小識別情報とが最高速度で可変表示しているときに、当該識別情報が一周期するのにかかる時間が、前記装飾識別情報と前記縮小識別情報とで異なるように表示制御を実行する、遊技機。
【手続補正２】
【補正対象書類名】明細書
【補正対象項目名】０００６
【補正方法】変更
【補正の内容】
【０００６】
（１）上記目的を達成するため、本発明に係る遊技機は、
識別情報の可変表示を行い、遊技者にとって有利な有利状態（大当り遊技状態等）に制御可能な遊技機（パチンコ遊技機１等）であって、
識別情報の透過率（飾り図柄や常時小図柄等）を変更する透過率変更手段（演出制御用ＣＰＵ１２０等）と、
識別情報として複数列で構成される装飾識別情報（飾り図柄等）と、
前記装飾識別情報と同数列で構成されるとともに前記装飾識別情報よりも小さい縮小識別情報（常時小図柄等）と、
前記装飾識別情報および前記縮小識別情報の表示制御を実行する表示制御手段（演出制御用ＣＰＵ１２０等）と、を備え、
前記表示制御手段は、
前記装飾識別情報の可変表示と同期して前記縮小識別情報の可変表示の開始表示および停止表示を行い（飾り図柄の可変表示と同期して常時小図柄の可変表示の開始表示および停止表示を行う等）、
前記装飾識別情報と前記縮小識別情報とが最高速度で可変表示しているときに、当該識別情報が一周期するのにかかる時間が、前記装飾識別情報と前記縮小識別情報とで異なるように表示制御を実行する（飾り図柄と常時小図柄とが最高速度で可変表示しているときに、各図柄が一周期するのにかかる時間が飾り図柄と常時小図柄とで異なるように表示制御を実行する等）。
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
遊技者の動作を検出可能な検出手段と、
特定表示を表示する特定表示手段と、
前記検出手段の検出有効期間において前記検出手段により遊技者の連続動作とは異なる遊技者の所定動作が検出されたことに基づいて、当該連続動作が所定間隔で実行されたとみなす連続動作みなし判定をする動作判定手段と、
前記検出有効期間において前記検出手段により遊技者の連続動作が検出されたことに基づいて、当該連続動作に応じて前記特定表示の演出態様を複数段階で変化させることが可能な特定演出を実行可能な特定演出実行手段と、を備え、
前記特定演出実行手段は、さらに、前記動作判定手段により連続動作みなし判定がされたことに基づいて、前記所定間隔の連続動作に応じて前記特定表示の演出態様を複数段階で変化させることが可能な特定演出を実行可能であり、
前記特定演出実行手段は、
前記連続動作みなし判定がされたことに基づいて前記特定演出を実行するときよりも、前記連続動作みなし判定の前記所定間隔よりも短い間隔で前記検出手段により遊技者の連続動作が検出されたことに基づいて前記特定演出を実行するときの方が、前記特定表示の演出態様が最大限変化可能な特定段階が高く、
特別条件が成立したことに基づいて前記特定表示の演出態様を前記特定段階と異なる特別段階に変化させることが可能である、遊技機。
【手続補正２】
【補正対象書類名】明細書
【補正対象項目名】０００６
【補正方法】変更
【補正の内容】
【０００６】
（１）  遊技が可能な遊技機（パチンコ遊技機１等）であって、
遊技者の動作を検出可能な検出手段（プッシュボタン３１Ｂ、プッシュセンサ３５Ｂ等）と、
特定表示（メータ画像２６１Ｆ００１等）を表示する特定表示手段（画像表示装置５、演出制御用ＣＰＵ１２０、図２２−６のＳ２６１ＦＳ０１３、図７のＳ１７２等）と、
前記検出手段の検出有効期間において前記検出手段により遊技者の連続動作（自力連打等）とは異なる遊技者の所定動作が検出されたことに基づいて、当該連続動作が所定間隔で実行されたとみなす（オート連打とみなす等）連続動作みなし判定をする動作判定手段（演出制御用ＣＰＵ１２０、図２２−７のＳ２６１ＦＳ０２４等）と、
前記検出有効期間において前記検出手段により遊技者の連続動作（自力連打等）が検出されたことに基づいて、当該連続動作に応じて前記特定表示の演出態様を複数段階で変化させる（図２２−２（Ａ）等）ことが可能な特定演出（自力連打時メータ演出等）を実行可能な特定演出実行手段（演出制御用ＣＰＵ１２０、図２２−７のＳ２６１ＦＳ０２６等）と、を備え、
前記特定演出実行手段は、さらに、前記動作判定手段により連続動作みなし判定がされたことに基づいて、前記所定間隔の連続動作（オート連打等）に応じて前記特定表示の演出態様を複数段階で変化させる（図２２−２（Ｂ）等）ことが可能な特定演出（オート連打時メータ演出等）を実行可能であり（図２２−７のＳ２６１ＦＳ０２５等）、
前記特定演出実行手段は、前記連続動作みなし判定がされたことに基づいて前記特定演出を実行するときよりも、前記連続動作みなし判定の前記所定間隔よりも短い間隔で前記
検出手段により遊技者の連続動作が検出されたことに基づいて前記特定演出を実行するときの方が、前記特定表示の演出態様が最大限変化可能な特定段階が高く（図２２−２（Ａ），（Ｂ）のように、自力連打時はオート連打時よりもメータ演出の最大変化レベルが高い等）、
特別条件が成立したことに基づいて前記特定表示の演出態様を前記特定段階と異なる特別段階に変化させることが可能である。
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
有利状態に制御可能な遊技機であって、
可変手段に遊技媒体が進入したことに基づいて識別情報の可変表示を行い、表示結果を導出表示する可変表示手段と、
未だ開始されていない可変表示に関する保留情報を記憶する保留記憶手段と、
有利状態終了後の所定期間において、前記可変手段への遊技媒体の進入を促す促進報知を実行する促進報知手段と、
前記所定期間において、前記保留記憶手段により記憶された保留情報の数が、前記保留記憶手段において記憶可能な保留情報の上限数に到達すると、上限数に到達したことを示す到達報知を実行する到達報知手段と、を備え、
前記所定期間は、前記有利状態後に最初に実行される識別情報の可変表示が開始されてから終了するまでの期間である、
ことを特徴とする遊技機。
【手続補正２】
【補正対象書類名】明細書
【補正対象項目名】０００６
【補正方法】変更
【補正の内容】
【０００６】
（１）有利状態に制御可能な遊技機（パチンコ遊技機１等）であって、
可変手段に遊技媒体が進入したことに基づいて識別情報の可変表示を行い、表示結果を導出表示する可変表示手段（可変表示装置６８ＳＨ００９等）と、
未だ開始されていない可変表示に関する保留情報を記憶する保留記憶手段（第２保留記憶バッファ等）と、
有利状態終了後の所定期間において、前記可変手段への遊技媒体の進入を促す促進報知を実行する促進報知手段（演出制御用マイクロコンピュータ１００等）と、
前記所定期間において、前記保留記憶手段により記憶された保留情報の数が、前記保留記憶手段において記憶可能な保留情報の上限数（４個等）に到達すると、上限数に到達したことを示す到達報知（「到達」を出力等）を実行する到達報知手段（演出制御用マイクロコンピュータ１００等）と、を備え、
前記所定期間は、前記有利状態後に最初に実行される識別情報の可変表示が開始されてから終了するまでの期間である、
ことを特徴とする。
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技者にとって有利な内容が報知されることを示唆する複数種類の特定演出を実行可能であるとともに、該特定演出を複数回数実行可能な特定演出実行手段と、
前記特定演出が実行される前に、特定演出の実行回数と特定演出の種類とを示唆する特別演出を実行可能な特別演出実行手段と、
可変表示に対応した対応表示を表示可能な対応表示手段と、を備え、
特定演出の種類によって、遊技者にとって有利な内容が報知される期待度が異なり、
前記特別演出実行手段は、複数回数の特定演出のうちの少なくとも一部の特定演出の種類を特定可能であるが該一部の特定演出以外の特定演出の種類を秘匿したパターンにより前記特別演出を実行可能である、
ことを特徴とする遊技機。
【手続補正２】
【補正対象書類名】明細書
【補正対象項目名】００１１
【補正方法】変更
【補正の内容】
【００１１】
（手段１）本発明よる遊技機は、遊技を行うことが可能な遊技機であって、遊技者にとって有利な内容が報知されることを示唆する複数種類の特定演出（例えば、スーパーリーチ演出Ａ〜Ｃ）を実行可能であるとともに、該特定演出を複数回数（例えば、１回〜３回）実行可能な特定演出実行手段（例えば、演出制御用ＣＰＵ１２０におけるステップ１４２ＩＷＳ００４で選択したプロセステーブルに従ってステップ１４２ＩＷＳ００６およびステップＳ１７２を実行する部分）と、特定演出が実行される前に、特定演出の実行回数と特定演出の種類とを示唆する特別演出（例えば、リーチ示唆演出）を実行可能な特別演出実行手段（例えば、演出制御用ＣＰＵ１２０におけるステップ１４２ＩＷＳ００４で選択したプロセステーブルに従ってステップ１４２ＩＷＳ００６およびステップＳ１７２を実行する部分）と、可変表示に対応した対応表示を表示可能な対応表示手段と、を備え、特定演出の種類によって、遊技者にとって有利な内容が報知される期待度が異なり（例えば、図１０−４に示すように、スーパーリーチ演出Ａ＜スーパーリーチ演出Ｂ＜スーパーリーチ演出Ｃの順に大当りに対する期待度（信頼度）が高い）、特別演出実行手段は、複数回数の特定演出のうちの少なくとも一部の特定演出の種類を特定可能であるが該一部の特定演出以外の特定演出の種類を秘匿したパターンにより特別演出（例えば、図１０−１１（Ｃ）に示す「？」の文字表示１４２ＩＷ０１３を含むリーチ示唆画面１４２ＩＷ０１１を表示するリーチ示唆演出）を実行可能である（例えば、リーチ演出／リーチ示唆演出パターンとして演出パターン０４，１２，１５に従ってリーチ示唆演出を実行する）ことを特徴とする。そのような構成によれば、特定演出の実行回数が示唆されたときに秘匿した特定演出の種類がいずれであるかに注目させることができ、特定演出を実行する場合の興趣を向上させることができる。
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
遊技者にとって有利な内容が報知されることを示唆する複数種類の特定演出を実行可能であるとともに、該特定演出を複数回数実行可能な特定演出実行手段と、
特定演出が実行される前に、特定演出の実行回数と特定演出の種類とを示唆する特別演出を実行可能な特別演出実行手段と、
可変表示に対応した対応表示を表示可能な対応表示手段と、を備え、
前記特別演出実行手段は、
複数回数の特定演出のうちの少なくとも一部の特定演出の種類を秘匿したパターンにより前記特別演出を実行可能であり、
前記特別演出において秘匿した特定演出の種類によって、特定演出によって遊技者にとって有利な内容が報知される期待度が異なるように、前記特別演出を実行可能である、
ことを特徴とする遊技機。
【手続補正２】
【補正対象書類名】明細書
【補正対象項目名】００１１
【補正方法】変更
【補正の内容】
【００１１】
（手段１）本発明よる遊技機は、遊技を行うことが可能な遊技機であって、遊技者にとって有利な内容が報知されることを示唆する複数種類の特定演出（例えば、スーパーリーチ演出Ａ〜Ｃ）を実行可能であるとともに、該特定演出を複数回数（例えば、１回〜３回）実行可能な特定演出実行手段（例えば、演出制御用ＣＰＵ１２０におけるステップ１４２ＩＷＳ００４で選択したプロセステーブルに従ってステップ１４２ＩＷＳ００６およびステップＳ１７２を実行する部分）と、特定演出が実行される前に、特定演出の実行回数と特定演出の種類とを示唆する特別演出（例えば、リーチ示唆演出）を実行可能な特別演出実行手段（例えば、演出制御用ＣＰＵ１２０におけるステップ１４２ＩＷＳ００４で選択したプロセステーブルに従ってステップ１４２ＩＷＳ００６およびステップＳ１７２を実行する部分）と、可変表示に対応した対応表示を表示可能な対応表示手段と、を備え、特別演出実行手段は、複数回数の特定演出のうちの少なくとも一部の特定演出の種類を秘匿したパターンにより特別演出（例えば、図１０−１１（Ｃ）に示す「？」の文字表示１４２ＩＷ０１３を含むリーチ示唆画面１４２ＩＷ０１１を表示するリーチ示唆演出）を実行可能であり（例えば、リーチ演出／リーチ示唆演出パターンとして演出パターン０４，１２，１５に従ってリーチ示唆演出を実行する）、特別演出において秘匿した特定演出の種類によって、特定演出によって遊技者にとって有利な内容が報知される期待度が異なるように、特別演出を実行可能である（例えば、図１０−５（１）に示すように、リーチ示唆演出において、演出パターン１５に従ってスーパーリーチ演出Ｃの実行が秘匿された場合の方が、演出パターン１２に従ってスーパーリーチ演出Ｂの実行が秘匿された場合よりも、大当りに対する期待度（信頼度）が高い）ことを特徴とする。そのような構成によれば、秘匿した特定演出の種類がいずれであるかに注目させることができ、演出内容を秘匿した演出を実行する場合の興趣を向上させることができる。
【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
遊技者にとっての有利度が異なる複数の設定値のうちいずれかの設定値に設定可能な設定手段と、
設定された設定値に応じて異なる割合により設定示唆演出を実行可能な設定示唆演出実行手段と、
いずれの設定値に設定されたかを特定可能な設定値情報を出力可能な情報出力手段と、
を備え、
前記設定示唆演出実行手段は、複数種類の前記設定示唆演出を実行可能であり、
前記設定示唆演出の種類によって前記設定示唆演出を実行可能な遊技状態が異なり、
前記設定示唆演出実行手段は、
前記情報出力手段から出力された設定値情報が正常に入力されなかった場合、複数の設定値のうち遊技者にとっての有利度が低い所定の設定値に対応した割合により前記設定示唆演出を実行可能であり、
前記設定示唆演出として、第１設定示唆演出と、該第１設定示唆演出よりも認識度合いが高い第２設定示唆演出と、を実行可能であり、
共通演出の演出結果が第１結果となった後に前記設定示唆演出を実行せず、前記共通演出の演出結果が前記第１結果とは異なる第２結果となった後に前記設定示唆演出を実行可能である、
ことを特徴とする遊技機。
【手続補正２】
【補正対象書類名】明細書
【補正対象項目名】０００２
【補正方法】変更
【補正の内容】
【０００２】
遊技者にとっての有利度が異なる複数の設定値のいずれかに変更可能な遊技機がある（例えば特許文献１参照）。
【手続補正３】
【補正対象書類名】明細書
【補正対象項目名】０００３
【補正方法】変更
【補正の内容】
【０００３】
【特許文献１】特開２０１０−２００９０２号公報
【手続補正４】
【補正対象書類名】明細書
【補正対象項目名】０００４
【補正方法】変更
【補正の内容】
【０００４】
特許文献１に記載の技術では、設定されている設定値にもとづいて有利状態の制御を実行可能に構成した遊技機において、必ずしも演出効果を高めることはできない。
【手続補正５】
【補正対象書類名】明細書
【補正対象項目名】０００５
【補正方法】変更
【補正の内容】
【０００５】
この発明は、上記の実状に鑑みてなされたものであり、演出効果を高めることが可能な遊技機を提供することを目的とする。
【手続補正６】
【補正対象書類名】明細書
【補正対象項目名】０００６
【補正方法】変更
【補正の内容】
【０００６】
（Ａ）上記目的を達成するため、本願発明に係る遊技機は、
遊技者にとって有利な有利状態（例えば大当り遊技状態）に制御可能な遊技機（例えばパチンコ遊技機１）であって、
遊技者にとっての有利度が異なる複数の設定値のうちいずれかの設定値（例えば設定値１〜３のいずれかなど）に設定可能な設定手段と、
設定された設定値に応じて異なる割合により設定示唆演出を実行可能な設定示唆演出実行手段（例えば設定されている設定値に応じて設定示唆を実行する演出制御用ＣＰＵ１２０など）と、
いずれの設定値に設定されたかを特定可能な設定値情報を出力可能な情報出力手段（例えば、遊技制御用マイクロコンピュータ１００におけるステップ１２１ＩＷＳ０３１，Ｓ１０８を実行する部分）と、
を備え、
前記設定示唆演出実行手段は、複数種類の前記設定示唆演出を実行可能であり、
前記設定示唆演出の種類によって前記設定示唆演出を実行可能な遊技状態が異なり、
複数の設定値のうち遊技者にとっての有利度が高い特定の設定値が設定されていることに対する示唆の信頼度が前記設定示唆演出の種類によって異なり（例えば、設定示唆演出の種別ごとに示唆の信頼度が異なるようにしてもよい）、
前記設定示唆演出実行手段は、
前記情報出力手段から出力された設定値情報が正常に入力されなかった場合（設定変更処理が実行されたが、コマンドの取りこぼしやデータ化けなどの理由により設定値コマンドを正常に受信できなかった場合）、複数の設定値のうち遊技者にとっての有利度が低い所定の設定値（例えば最も不利な設定である設定値「１」）に対応した割合により前記設定示唆演出を実行可能であり、
前記設定示唆演出として、第１設定示唆演出と、該第１設定示唆演出よりも認識度合いが高い第２設定示唆演出と、を実行可能であり（例えば「設定示唆態様１」や「設定示唆態様２」の設定示唆よりも「設定示唆態様３」の設定示唆の方が示唆内容を認識しやすいなど）、
共通演出の演出結果が第１結果となった後に前記設定示唆演出を実行せず、前記共通演出の演出結果が前記第１結果とは異なる第２結果となった後に前記設定示唆演出を実行可能である（例えば共通演出の実行結果が「失敗」である場合には設定示唆を実行せず、「成功」である場合に実行するなど）。
このような構成によれば、演出効果を高めることができる。
（１）また、本願の他の発明に係る遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
遊技を行うことが可能であり、遊技者にとって有利な有利状態に制御可能な遊技機であって、
表示手段と、
前記有利状態に制御可能な有利状態制御手段と、
遊技媒体が進入可能な可変手段と、を備え、
前記有利状態制御手段は、有利度合いが異なる複数種類の前記有利状態に制御可能であり、
前記有利状態に制御されることを報知した後に、所定の演出態様により前記有利状態の種類を報知する再報知演出を実行可能な再報知演出実行手段と、
前記再報知演出の実行開始後の演出結果が表示される前に、前記再報知演出とは演出態様が異なり特定の有利状態に制御されることを報知する特別演出を実行可能な特別演出実行手段と、
前記特別演出の実行後に、前記再報知演出の実行を示唆する特別画像を表示可能な特別画像表示手段と、を備え、
前記表示手段は、前記可変手段に遊技媒体が進入したことに基づいて付与される遊技媒体数を表示可能である、
ことを特徴とする遊技機。
【手続補正２】
【補正対象書類名】明細書
【補正対象項目名】０００９
【補正方法】変更
【補正の内容】
【０００９】
（手段１）本発明による遊技機は、遊技を行うことが可能であり、遊技者にとって有利な有利状態（例えば、大当り遊技状態）に制御可能な遊技機であって、  表示手段と、有利状態に制御可能な有利状態制御手段（例えば、遊技制御用マイクロコンピュータ１００における第１特別図柄プロセス処理（ステップＳ２５Ａ）のステップＳ１１５Ａ〜Ｓ１１８Ａを実行する部分、第２特別図柄プロセス処理（ステップＳ２５Ｂ）でステップＳ１１５Ａ〜Ｓ１１８Ａと同様の処理を実行する部分）と、遊技媒体が進入可能な可変手段と、を備え、有利状態制御手段は、有利度合いが異なる複数種類の有利状態（例えば、６Ｒ通常大当りや、２Ｒ通常大当り、１６Ｒ確変大当り、２Ｒ確変大当りにもとづく大当り遊技状態）に制御可能であり、有利状態に制御されることを報知した後に、所定の演出態様により有利状態の種類を報知する再報知演出（例えば、図８−３９（Ｃ）に示す再抽選演出）を実行可能な再報知演出実行手段（例えば、演出制御用ＣＰＵ１２０におけるステップ１３８ＩＷＳ９２９で選択したプロセステーブルに従ってステップ１３８ＩＷＳ９３５およびステップＳ１７２を実行する部分）と、再報知演出の実行開始後の演出結果が表示される前に、再報知演出とは演出態様が異なり特定の有利状態に制御されることを報知する特別演出（例えば、図８−３９（Ｄ）および図８−４０（Ｅ）に示すＫＴ突入演出）を実行可能な特別演出実行手段（例えば、演出制御用ＣＰＵ１２０におけるステップ１３８ＩＷＳ９２９で選択したプロセステーブルに従ってステップ１３８ＩＷＳ９３５およびステップＳ１７２を実行する部分）と、特別演出の実行後に、再報知演出の実行を示唆する特別画像（例えば、図８−４０（Ｆ）に示す再抽選ストック画像１３８ＩＷ００５）を表示可能な特別画像表示手段（例えば、演出制御用ＣＰＵ１２０におけるステップ１３８ＩＷＳ９７０９を実行する部分）と、を備え、前記表示手段は、前記可変手段に遊技媒体が進入したことに基づいて付与される遊技媒体数を表示可能である、ことを特徴とする。そのような構成によれば、再報知演出に関して遊技に対する興趣を向上させることができる。
【手続補正書】
【提出日】令和1年8月7日(2019.8.7)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
第１有利状態と該第１有利状態よりも遊技者にとって有利な第２有利状態とを含む複数種類の有利状態に制御可能な有利状態制御手段と、
遊技者にとって有利度が異なる複数段階の設定値のうちいずれかの設定値に設定可能な設定手段と、
設定されている設定値を遊技者に示唆する設定示唆演出を実行可能な設定示唆演出実行手段と、を備え、
前記設定示唆演出実行手段は、
前記有利状態が終了した後の所定期間内において前記有利状態に制御されたことに基づいて前記設定示唆演出を実行可能であり、
前記第１有利状態が終了した後の前記所定期間と、前記第２有利状態が終了した後の前記所定期間と、で異なる割合で前記設定示唆演出を実行可能である、
ことを特徴とする遊技機。
【手続補正２】
【補正対象書類名】明細書
【補正対象項目名】０００２
【補正方法】変更
【補正の内容】
【０００２】
従来、設定変更操作にもとづいて複数段階の設定値のうちのいずれかに設定可能であり、設定された設定値にもとづいて遊技者にとって有利な有利状態の制御を実行可能なパチンコ遊技機があった。このようなパチンコ遊技機において、設定値の変更前と変更後との設定値に応じて、識別情報の可変表示中においてキリン，ゾウ，ライオンのいずれかを表示して設定値の示唆を実行する遊技機があった（例えば、特開２０１０−２００９０２号公報参照）。また、高確低ベース状態である所謂潜伏確変状態が繰返される遊技機があった（例えば、特開２０１１−７８６７０号公報参照）。
【手続補正３】
【補正対象書類名】明細書
【補正対象項目名】０００３
【補正方法】変更
【補正の内容】
【０００３】
【特許文献１】特開２０１０−２００９０２号公報
【特許文献２】特開２０１１−７８６７０号公報
【手続補正４】
【補正対象書類名】明細書
【補正対象項目名】０００４
【補正方法】変更
【補正の内容】
【０００４】
しかし、特許文献２のような遊技機で特許文献１のような設定を示唆する演出を実行する場合、設定を示唆する演出の実行契機については改善の余地があった。
【手続補正５】
【補正対象書類名】明細書
【補正対象項目名】０００５
【補正方法】変更
【補正の内容】
【０００５】
この発明は、上記の実状に鑑みてなされたものであり、設定を示唆する演出の実行契機について注目させることができ、遊技の興趣が向上する遊技機を提供することを目的とする。
【手続補正６】
【補正対象書類名】明細書
【補正対象項目名】０００６
【補正方法】変更
【補正の内容】
【０００６】
（Ａ）上記目的を達成するため、本願発明に係る遊技機は、
可変表示を行い、遊技者にとって有利な有利状態（例えば、大当り遊技状態）に制御可能な遊技機（例えば、パチンコ遊技機１）であって、
第１有利状態と該第１有利状態よりも遊技者にとって有利な第２有利状態とを含む複数種類の有利状態（例えば、大当りＡ、大当りＢ、大当りＣ、大当りＤ）に制御可能な有利状態制御手段と、
遊技者にとって有利度が異なる複数段階の設定値（例えば、設定値１〜３）のうちいずれかの設定値に設定可能な設定手段（例えば、ＣＰＵ１０３が設定変更処理を実行する部分）と、
設定されている設定値を遊技者に示唆する設定示唆演出（例えば、図２１−６に示す設定示唆演出）を実行可能な設定示唆演出実行手段と、備え、
前記設定示唆演出実行手段は、
前記有利状態が終了した後の所定期間内（例えば、大当りＤ終了後の高確低ベース１００回の期間内）において前記有利状態（例えば、大当りＤ）に制御されたことに基づいて前記設定示唆演出を実行可能であり、
前記第１有利状態が終了した後の前記所定期間と、前記第２有利状態が終了した後の前記所定期間と、で異なる割合で前記設定示唆演出を実行可能である（例えば、大当りＡでは設定示唆演出が実行されないが、大当りＤでは設定示唆演出が実行されることがある）、
ことを特徴とする。
また、従来の遊技機として、特開２０１６−１０１４２８号公報で示されているような、リーチ演出の開始時に、リーチ演出の種類を報知するタイトル表示を行う遊技機がある。このような遊技機において、さらに演出効果を高めることが望まれている。
（１）上記目的を達成するため、他の態様に係る遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
遊技者にとって有利度が異なる複数段階の設定値のうちいずれかの設定値に設定可能な設定手段と、
設定されている設定値を遊技者に示唆する設定示唆演出を実行可能な設定示唆演出実行手段と、を備え、
前記有利状態として、第１有利状態と該第１有利状態よりも不利な第２有利状態とを含み、
前記設定示唆演出実行手段は、
前記設定示唆演出として、第１設定示唆演出と該第１設定示唆演出よりも設定値を特定し易い第２設定示唆演出とを実行可能であり、
前記第１有利状態に制御されたときと前記第２有利状態に制御されたときとで異なる割合で前記第２設定示唆演出を実行可能である、
ことを特徴とする、遊技機。
【手続補正２】
【補正対象書類名】明細書
【補正対象項目名】０００２
【補正方法】変更
【補正の内容】
【０００２】
従来、設定変更操作にもとづいて複数段階の設定値のうちのいずれかに設定可能であり、設定された設定値にもとづいて遊技者にとって有利な有利状態の制御を実行可能なパチンコ遊技機があった。このようなパチンコ遊技機において、設定値の変更前と変更後との設定値に応じて、識別情報の可変表示中においてキリン，ゾウ，ライオンのいずれかを表示して設定値の示唆を実行する遊技機があった（例えば、特許文献１参照）。また、高確低ベース状態である所謂潜伏確変状態が繰返される遊技機があった（例えば、特許文献２参照）。
【手続補正３】
【補正対象書類名】明細書
【補正対象項目名】０００３
【補正方法】変更
【補正の内容】
【０００３】
【特許文献１】特開２０１０−２００９０２号公報
【特許文献２】特開２０１１−７８６７０号公報
【手続補正４】
【補正対象書類名】明細書
【補正対象項目名】０００４
【補正方法】変更
【補正の内容】
【０００４】
しかし、特許文献２のような遊技機で特許文献１のような設定を示唆する演出を実行する場合、設定を示唆する演出の実行契機については改善の余地があった。
【手続補正５】
【補正対象書類名】明細書
【補正対象項目名】０００５
【補正方法】変更
【補正の内容】
【０００５】
この発明は、上記の実状に鑑みてなされたものであり、設定を示唆する演出の実行契機について注目させることができ、遊技の興趣が向上する遊技機を提供することを目的とする。
【手続補正６】
【補正対象書類名】明細書
【補正対象項目名】０００６
【補正方法】変更
【補正の内容】
【０００６】
（Ａ）上記目的を達成するため、本願発明に係る遊技機は、
遊技者にとって有利な有利状態（例えば、大当り遊技状態）に制御可能な遊技機であって、
遊技者にとって有利度が異なる複数段階の設定値（例えば、設定値１〜設定値３）のうちいずれかの設定値に設定可能な設定手段（例えば、ＣＰＵ１０３が設定変更処理を実行する部分）と、
設定されている設定値を遊技者に示唆する設定示唆演出（例えば、図２１−３に示す設定示唆演出）を実行可能な設定示唆演出実行手段（例えば、演出制御用ＣＰＵ１２０）と、を備え、
前記有利状態として、第１有利状態（例えば、大当りＡ）と該第１有利状態よりも不利な第２有利状態（例えば、大当りＤ）とを含み、
前記設定示唆演出実行手段は、
前記設定示唆演出として、第１設定示唆演出と該第１設定示唆演出よりも設定値を特定し易い第２設定示唆演出とを実行可能であり、
前記第１有利状態に制御されたときと前記第２有利状態に制御されたときとで異なる割合で前記第２設定示唆演出を実行可能である（例えば、図２１−４、図２１−７）、
ことを特徴とする。
また、従来の遊技機として、特開２０１６−１０１４２８号公報で示されているような、リーチ演出の開始時に、リーチ演出の種類を報知するタイトル表示を行う遊技機がある。このような遊技機において、さらに演出効果を高めることが望まれている。
（１）上記目的を達成するため、他の態様に係る遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
遊技を行うことが可能であり、遊技者にとって有利な有利状態に制御可能な遊技機であって、
前記有利状態に制御されることを示唆する複数種類の示唆演出をそれぞれ異なるタイミングにて実行可能な示唆演出実行手段と、
複数種類の示唆演出のうちのいずれかの示唆演出が実行される場合、少なくとも所定画像を用いて示唆演出が実行されるまでの所定期間を報知する報知演出を実行可能な報知演出実行手段と、を備え、
前記報知演出実行手段は、
前記所定画像の一部分の視認性を前記所定画像の他の部分の視認性よりも低下させた態様により前記報知演出を実行可能であり、
有利度の異なる複数種類の特定画像を用いて前記所定画像の視認性を低下させる、
ことを特徴とする遊技機。
【手続補正２】
【補正対象書類名】明細書
【補正対象項目名】００１１
【補正方法】変更
【補正の内容】
【００１１】
（手段１）本発明による遊技機は、遊技を行うことが可能であり、遊技者にとって有利な有利状態（例えば、大当り遊技状態）に制御可能な遊技機であって、有利状態に制御されることを示唆する複数種類の示唆演出（例えば、予告演出Ａ〜Ｃ）をそれぞれ異なるタイミングにて実行可能な示唆演出実行手段（例えば、演出制御用ＣＰＵ１２０におけるステップ１３３ＩＷＳ２１４を行うことにより、飾り図柄の変動表示中の高速変動中に予告演出Ａを実行可能であり、飾り図柄の変動表示中のリーチ成立時に予告演出Ｂを実行可能であり、飾り図柄の変動表示中のリーチ成立後に予告演出Ｃを実行可能である部分）と、複数種類の示唆演出のうちのいずれかの示唆演出が実行される場合、少なくとも所定画像（例えば、タイマ表示）を用いて示唆演出が実行されるまでの所定期間を報知する報知演出を実行可能な報知演出実行手段（例えば、演出制御用ＣＰＵ１２０におけるステップ１３３ＩＷＳ２０７，１３３ＩＷＳ２１１を行う部分）と、を備え、報知演出実行手段は、所定画像の一部分の視認性を所定画像の他の部分の視認性よりも低下させた態様により報知演出を実行可能であり（例えば、演出制御用ＣＰＵ１２０は、ステップ１３３ＩＷＳ２０７を行うことにより、一部の桁を隠蔽した態様にてタイマ表示を表示し、該タイマ表示を用いた報知演出を実行する（図８−５参照））、有利度の異なる複数種類の特定画像を用いて所定画像の視認性を低下させる、ことを特徴とする。そのような構成によれば、演出効果を高めることができる。
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
可変表示を行い、有利状態に制御可能な遊技機であって、  
遊技媒体が進入可能な第１状態と遊技媒体が進入不能または困難な第２状態とに変化可能な可変手段と、  
前記有利状態とは異なる状態であり、前記可変手段が前記第１状態に変化することを含む特殊状態に制御可能な特殊状態制御手段と、  
通常状態に比べて前記特殊状態に制御される頻度が高い特別状態に制御可能な特別状態制御手段と、
前記特別状態に制御されているときに、所定経路への遊技媒体の発射を促進する促進報知を実行可能な促進報知手段と、を備え、  
前記可変手段は、前記特殊状態に制御されることが報知された後に該可変手段に向けて発射された遊技媒体が進入できないように設けられ、  
前記特別状態における前記有利状態に制御される契機とならない可変表示を、可変表示期間が第１期間である第１可変表示パターンと、可変表示期間が該第１期間よりも長い第２期間である第２可変表示パターンとにより実行可能であり、  
前記特別状態において、前記第２可変表示パターンにより可変表示が実行された後に前記特殊状態に制御される割合は、前記第１可変表示パターンにより可変表示が実行された後に前記特殊状態に制御される割合よりも低い、
ことを特徴とする遊技機。
【手続補正２】
【補正対象書類名】明細書
【補正対象項目名】００１１
【補正方法】変更
【補正の内容】
【００１１】
（１）本発明による遊技機は、可変表示を行い、有利状態（例えば、大当り遊技状態）に制御可能な遊技機であって、遊技媒体が進入可能な第１状態と遊技媒体が進入不能または困難な第２状態とに変化可能な可変手段（例えば、可変入賞球装置１５や特殊可変入賞球装置２２）と、有利状態とは異なる状態であり、可変入賞手段が第１状態に変化することを含む特殊状態（例えば、小当り遊技状態）に制御可能な特殊状態制御手段（例えば、遊技制御用マイクロコンピュータ５６０におけるステップＳ３５８〜Ｓ３６０を実行する部分）と、通常状態に比べて特殊状態に制御される頻度が高い特別状態（例えば、ＫＴ状態（第１ＫＴ状態、第２ＫＴ状態））に制御可能な特別状態制御手段（例えば、遊技制御用マイクロコンピュータ５６０におけるステップＳ２２０８Ａ，Ｓ２２１１Ａ，Ｓ２２１２Ａ，Ｓ２２０９Ｂ，Ｓ２２１０Ｂ，Ｓ２２１３Ｂ，Ｓ２２１４Ｂを実行する部分）と、
前記特別状態に制御されているときに、所定経路への遊技媒体の発射を促進する促進報知を実行可能な促進報知手段と、を備え、可変手段は、特殊状態に制御されることが報知された後に該可変手段に向けて発射された遊技媒体が進入できないように設けられ（例えば、遊技球の流下を遅延させる遅延手段として釘群５５を設けるとともに、小当り遊技における特殊可変入賞球装置２２の開放期間を０．８秒間に設定することにより実現される）、特別状態における有利状態に制御される契機とならない可変表示を、可変表示期間が第１期間である第１可変表示パターン（例えば、短縮変動の第２変動パターン＃２５，＃２７）と、可変表示期間が該第１期間よりも長い第２期間である第２可変表示パターン（例えば、継続演出を含む第２変動パターン＃２６，＃２８）とにより実行可能であり、特別状態において、第２可変表示パターンにより可変表示が実行された後に特殊状態に制御される割合は、第１可変表示パターンにより可変表示が実行された後に特殊状態に制御される割合よりも低い（例えば、小当りの場合には、比較的変動時間が長い第２変動パターン＃２８に決定される割合が低い（または決定されない）。図１５参照）ことを特徴とする。  
そのような構成によれば、興趣を低下させてしまうことを防止し、演出効果を高めることができる。
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
第１の基地局と第２の基地局とを有する通信ネットワークにおける通信端末であって、
前記第１の基地局から、制御プレーンシグナリングを受信する手段と、
前記第１の基地局のセキュリティ鍵を導出する手段と、
導出された前記第１の基地局の前記セキュリティ鍵を用いて、前記通信端末と前記第１の基地局との間の制御プレーン通信のための少なくとも１つの制御プレーンセキュリティ鍵を導出する手段と、
前記通信端末が前記第１の基地局と前記第２の基地局とに接続されている間に、導出された前記第１の基地局の前記セキュリティ鍵を用いて、前記第２の基地局の前記セキュリティ鍵を導出する手段と、
前記第２の基地局の前記セキュリティ鍵を用いて、ユーザプレーンセキュリティ鍵を導出する手段と、
前記通信端末と前記第２の基地局との間のユーザプレーン通信に、導出された前記ユーザプレーンセキュリティ鍵を用いる手段とを、備える
通信端末。
【請求項２】
第１の基地局と第２の基地局とを有する通信ネットワークにおける通信端末によって実行される方法であって、
前記第１の基地局から、制御プレーンシグナリングを受信することと、
前記第１の基地局のセキュリティ鍵を導出することと、
導出された前記第１の基地局の前記セキュリティ鍵を用いて、前記通信端末と前記第１の基地局との間の制御プレーン通信のための少なくとも１つの制御プレーンセキュリティ鍵を導出することと、
前記通信端末が前記第１の基地局と前記第２の基地局とに接続されている間に、導出された前記第１の基地局の前記セキュリティ鍵を用いて、前記第２の基地局の前記セキュリティ鍵を導出することと、
前記第２の基地局の前記セキュリティ鍵を用いて、ユーザプレーンセキュリティ鍵を導出することと、
前記通信端末と前記第２の基地局との間のユーザプレーン通信に、導出された前記ユーザプレーンセキュリティ鍵を用いることと、
を含む方法。
【手続補正２】
【補正対象書類名】明細書
【補正対象項目名】発明の名称
【補正方法】変更
【補正の内容】
【発明の名称】通信端末および方法
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
使用者の身体に取り付けられ、使用者に低周波パルス電流を供給するパッドであって、パッド側電極部を有するパッドと、
前記パッドを保持するホルダと、
前記ホルダに取り付けられる本体部であって、前記パッド側電極部に対して導通されて低周波パルス電流を供給する本体部側電極部を有する本体部と、を備えた低周波治療器において、
前記ホルダと前記本体部とは、両者間に前記パッドを位置させる所定間隔の隙間を空けて係合し、
前記パッド側電極部と前記本体部側電極部とは、前記所定間隔の隙間にて当接することで前記導通がなされ、
前記パッド側電極部と前記本体部側電極部とのうち少なくとも一方の電極部は、他方の電極部に対して接近及び離反方向に移動可能とされ、かつ、接近方向に付勢されており、
前記一方の電極部は、前記移動可能な範囲の途中で前記導通がなされることを特徴とし、
前記ホルダは、
自身の上面で前記パッドを保持するパッド保持部と、
前記パッド側電極部に対して前記本体部側電極部が配置される側とは反対側に配置され、前記パッド保持部に対して出退可能な押さえ部と、
前記押さえ部を前記パッド保持部からの突出方向に付勢する付勢部と、を有する、
低周波治療器。
【請求項２】
前記ホルダが不導体からなる、請求項１に記載の低周波治療器。
【請求項３】
使用者の身体に取り付けられ、使用者に低周波パルス電流を供給するパッドであって、パッド側電極部を有するパッドと、
前記パッドを保持するホルダと、を備えた低周波治療器で、
前記ホルダに取り付けられる本体部であって、前記パッド側電極部に対して導通されて低周波パルス電流を供給する本体部側電極部を有する、低周波治療器用の本体部において、
前記本体部は前記ホルダに対し、両者間に前記パッドを位置させる所定間隔の隙間を空けて係合し、
前記本体部側電極部は前記パッド側電極部に対し、前記所定間隔の隙間にて当接することで前記導通がなされ、
前記本体部側電極部は前記パッド側電極部に対して接近及び離反方向に移動可能とされ、かつ、接近方向に付勢されており、前記移動可能な範囲の途中で前記導通がなされることを特徴とし、
前記ホルダは、
自身の上面で前記パッドを保持するパッド保持部と、
前記パッド側電極部に対して前記本体部側電極部が配置される側とは反対側に配置され、前記パッド保持部に対して出退可能な押さえ部と、
前記押さえ部を前記パッド保持部からの突出方向に付勢する付勢部と、を有する、
低周波治療器用の本体部。
【請求項４】
使用者の身体に取り付けられ、使用者に低周波パルス電流を供給するパッドであって、パッド側電極部を有する、低周波治療器用のパッドにおいて、
前記パッドはホルダにより保持され、
前記ホルダには本体部が取り付けられ、前記本体部は、前記パッド側電極部に対して導通されて低周波パルス電流を供給する本体部側電極部を有し、
前記ホルダと前記本体部とは、両者間に前記パッドを位置させる所定間隔の隙間を空けて係合し、
前記パッド側電極部と前記本体部側電極部とは、前記所定間隔の隙間にて当接することで前記導通がなされ、
前記パッド側電極部と前記本体部側電極部とのうち少なくとも一方の電極部は、他方の電極部に対して接近及び離反方向に移動可能とされ、かつ、接近方向に付勢されており、
前記一方の電極部は、前記移動可能な範囲の途中で前記導通がなされ、
前記本体部側電極部は、先端部が前記パッド側電極部に対して当接することにより前記導通がなされ、
前記パッド側電極部は面状の導体からなることを特徴とし、
前記ホルダは、
自身の上面で前記パッドを保持するパッド保持部と、
前記パッド側電極部に対して前記本体部側電極部が配置される側とは反対側に配置され、前記パッド保持部に対して出退可能な押さえ部と、
前記押さえ部を前記パッド保持部からの突出方向に付勢する付勢部と、を有する、
低周波治療器用のパッド。
【請求項５】
使用者の身体に取り付けられ、使用者に低周波パルス電流を供給するパッドであって、パッド側電極部を有するパッドと、前記パッドを保持するホルダとからなる、低周波治療器用のパッドとホルダの組み合わせにおいて、
前記ホルダには本体部が取り付けられ、前記本体部は、前記パッド側電極部に対して導通されて低周波パルス電流を供給する本体部側電極部を有し、
前記ホルダと前記本体部とは、両者間に前記パッドを位置させる所定間隔の隙間を空けて係合し、
前記パッド側電極部と前記本体部側電極部とは、前記所定間隔の隙間にて当接することで前記導通がなされ、
前記パッド側電極部と前記本体部側電極部とのうち少なくとも一方の電極部は、他方の電極部に対して接近及び離反方向に移動可能とされ、かつ、接近方向に付勢されており、
前記一方の電極部は、前記移動可能な範囲の途中で前記導通がなされ、
前記本体部は、前記ホルダに対して平面視にて回動させることで該ホルダから取り外すことができ、
前記ホルダは、前記取り付けの状態にて前記本体部の回動を規制する回動規制部を備え、
前記パッド側電極部は、前記本体部が前記回動規制部により回動を規制された位置にある場合には前記導通がなされ、回動を規制された位置にない場合には、前記パッド側電極部と前記本体部側電極部とが離れることにより、前記導通がなされないように形成されたことを特徴とし、
前記ホルダは、
自身の上面で前記パッドを保持するパッド保持部と、
前記パッド側電極部に対して前記本体部側電極部が配置される側とは反対側に配置され、前記パッド保持部に対して出退可能な押さえ部と、
前記押さえ部を前記パッド保持部からの突出方向に付勢する付勢部と、を有する、
低周波治療器用のパッドとホルダの組み合わせ。
【請求項６】
前記ホルダが不導体からなる、請求項５に記載の低周波治療器用のパッドとホルダの組み合わせ。
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
音響流体中に張架され、前記音響流体を介して光源からの光の照射を受けて音響波を発生させるシート状の音響波発生部材と、
前記音響流体と前記音響波発生部材とを介して被検体からの音響波を受信し受信信号を出力する探触子と、を有し、
前記音響波発生部材は、前記音響波流体と接する一方の面から伝搬した前記音響波を他方の面に接する前記音響波流体に伝搬する際に、横波成分より縦波成分を支配的に伝搬するように設けられていることを特徴とする音響波装置。
【請求項２】
前記被検体と前記探触子とは、前記音響流体と前記音響波発生部材とを介して音響的に結合されることを特徴とする請求項１に記載の音響波装置。
【請求項３】
光源からの光を導き被検体に照射する光学系をさらに備えることを特徴とする請求項１または２に記載の音響波装置。
【請求項４】
前記光学系は、前記他方の面に向けて光を照射することにより前記音響波発生部材に前記音響波発生部材の厚みの１０倍以上の直径を有する被照射領域を形成することを特徴とする請求項１乃至３のいずれか１項に記載の音響波装置。
【請求項５】
前記音響波発生部材の厚みは、前記光学系からの照射光の照射光軸を法線とする仮想平面に前記被照射領域を正射影した射影領域に内接する仮想円の直径の１０分の１以下であることを特徴とする請求項４に記載の音響波装置。
【請求項６】
前記音響波発生部材は、０．０００１ＧＰａ以上のヤング率を有することを特徴とする請求項１乃至５のいずれか１項に記載の音響波装置。
【請求項７】
前記音響波発生部材は、０．１ＧＰａ以下のヤング率を有することを特徴とする請求項６に記載の音響波装置。
【請求項８】
前記音響波発生部材は、前記探触子の有効受信帯域における最小受信波長の１／２よりも小さい厚みを有していることを特徴とする請求項１乃至７のいずれか１項に記載の音響波装置。
【請求項９】
前記音響波発生部材は、ゴムで構成されていることを特徴とする請求項１乃至８のいずれか１項に記載の音響波装置。
【請求項１０】
前記音響波発生部材は、前記音響波発生部材の光吸収係数の逆数よりも大きい厚みを有していることを特徴とする請求項１乃至９のいずれか１項に記載の音響波装置。
【請求項１１】
前記音響波発生部材は、１０×１０−６／Ｋよりも大きい線膨張係数を有していることを特徴とする請求項１乃至１０のいずれか１項に記載の音響波装置。
【請求項１２】
前記光学系を介して前記音響波発生部材に光を照射する光源をさらに備えることを特徴とする請求項３に記載の音響波装置。
【請求項１３】
前記探触子は、配列された複数の変換素子を備える探触子アレイであることを特徴とする請求項１または１２のいずれか１項に記載の音響波装置。
【請求項１４】
前記探触子アレイは、それぞれの変換素子の有効受信領域がアイソセンタと重なるようにそれぞれの音響波受信面が互いに異なる方向に向けられていることを特徴とする請求項１３に記載の音響波装置。
【請求項１５】
前記アイソセンタと前記探触子アレイの前記音響波受信面の中心とを結ぶ複数の仮想成分が通過するように、前記音響波発生部材が配置されていることを特徴とする請求項１４に記載の音響波装置。
【請求項１６】
前記受信信号から前記被検体の音響特性値情報を取得する信号処理部をさらに備えていることを特徴とする請求項１乃至１５のいずれか１項に記載の音響波装置。
【請求項１７】
前記信号処理部は前記被検体の音響特性値情報を画像化することを特徴とする請求項１６に記載の音響波装置。
【請求項１８】
前記信号処理部は、画像化した前記音響特性値情報を表示手段に表示することを特徴とする請求項１７に記載の音響波装置。
【手続補正２】
【補正対象書類名】明細書
【補正対象項目名】発明の名称
【補正方法】変更
【補正の内容】
【発明の名称】音響波装置
【手続補正３】
【補正対象書類名】明細書
【補正対象項目名】０００７
【補正方法】変更
【補正の内容】
【０００７】
本発明の一側面の音響波装置は、音響流体中に張架され、前記音響流体を介して光源からの光の照射を受けて音響波を発生させるシート状の音響波発生部材と、
前記音響流体と前記音響波発生部材とを介して被検体からの音響波を受信し受信信号を出力する探触子と、を有し、前記音響波発生部材は、前記音響波流体と接する一方の面から伝搬した前記音響波を他方の面に接する前記音響波流体に伝搬する際に、横波成分より縦波成分を支配的に伝搬するように設けられていることを特徴とすることを特徴とする。
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
対象者の生体信号を取得する生体信号取得手段と、
前記取得された生体信号から生体情報を算出する生体情報算出手段と、
前記算出された生体情報の信頼性を判定する信頼性判定手段と、
前記信頼性判定手段により信頼性が高いと判定された場合は前記生体情報を出力し、信頼性が低いと判定された場合は前記生体情報を出力しない生体情報出力手段と、
前記対象者の状態を判定する状態判定手段と
を備え、
前記状態判定手段は、前記対象者が臥床状態であるか否かを判定し、
前記信頼性判定手段は、前記対象者が臥床状態でない場合は、信頼性が低いと判定すること
を備えることを特徴とする生体情報出力装置。
【請求項２】
対象者の生体信号を取得する生体信号取得手段と、
前記取得された生体信号から生体情報を算出する生体情報算出手段と、
前記算出された生体情報の信頼性を判定する信頼性判定手段と、
前記信頼性判定手段により信頼性が高いと判定された場合は前記生体情報を出力し、信頼性が低いと判定された場合は前記生体情報と併せて識別表示を出力する生体情報出力手段と、
前記対象者の状態を判定する状態判定手段と
を備え、
前記状態判定手段は、前記対象者が臥床状態であるか否かを判定し、
前記信頼性判定手段は、前記対象者が臥床状態でない場合は、信頼性が低いと判定すること
を備えることを特徴とする生体情報出力装置。
【請求項３】
前記生体信号取得手段は、前記対象者の体動を検出することにより前記生体信号を取得し、
前記生体情報算出手段は、前記検出された体動に基づいて、前記生体情報を算出することを特徴とする請求項１又は２に記載の生体情報出力装置。
【請求項４】
前記生体情報算出手段は、前記対象者の心拍数及び／又は呼吸数を算出することを特徴とする請求項１から３の何れか一項に記載の生体情報出力装置。
【請求項５】
前記生体情報算出手段は、前記生体情報として前記対象者の心拍及び／又は呼吸の間隔を取得し、
前記信頼性判定手段は、前記間隔のばらつきが大きいか否かによって信頼性を判定することを特徴とする請求項１から３の何れか一項に記載の生体情報出力装置。
【請求項６】
前記算出された生体情報を記憶する生体情報記憶手段を更に備え、
前記信頼性判定手段は、前記記憶された生体情報を読み出して、生体情報の信頼性を判定することを特徴とする請求項１から５の何れか一項に記載の生体情報出力装置。
【手続補正２】
【補正対象書類名】明細書
【補正対象項目名】発明の名称
【補正方法】変更
【補正の内容】
【発明の名称】生体情報出力装置